(57)【要約】【課題】容器の開蓋時にフタの紛失等を防ぎつつ、容器内の内容物情報を識別することも可能なフタを提供する。【解決手段】容器１の給排口２を開閉可能なフタ１０、２０、３０、４０において、フタと容器を連結する連結片１１、２１、３１、４１の一部に内容物情報を記録、視認できる記録部１５、２５、３５、４５を設けた。この記録部を視て、使用者は容器１の内容物情報を識別する事ができる。【選択図】図１
2017197288.tif 000002
【特許請求の範囲】
【請求項１】
開閉可能な既存給排口を有する容器に用いられ、給排口とフタを連結する連結片の給排口側に取り付けられた大円環部外周の一箇所または複数箇所に内容物情報記録部を設けて、開蓋時でもフタと容器を連結しつつ、内容物情報の記録と記録による内容物の識別を可能にすることを特徴とする、フタ。
【請求項２】
開閉可能な既存給排口を有する容器に用いられ、給排口とフタを連結する連結片のフタ側に取り付けられた小円環部外周の一箇所または複数箇所に内容物情報記録部を設けて、開蓋時でもフタと容器を連結しつつ、内容物情報の記録と記録による内容物の識別を可能にすることを特徴とする、フタ。
【請求項３】
開閉可能な既存給排口を有する容器に用いられ、給排口とフタを連結する連結片に内容物情報記録部を設けて、開蓋時でもフタと容器を連結しつつ、内容物情報の記録と記録による内容物の識別を可能にすることを特徴とする、フタ。
【請求項４】
開閉可能な既存給排口を有する容器に用いられ、給排口とフタを連結する連結片を挿通可能な一箇所または二箇所の孔を設けた内容物情報記録部に、小円環部及び連結帯を挿通した後、小円環部とフタを連結し、開蓋時でもフタと容器を連結しつつ、内容物情報の記録と記録による内容物の識別を可能にすることを特徴とする、フタ。
【請求項５】
前記記録部の位置に、表面が透明カバーで出来ていて、内容物情報を記録した紙片を挿入できるポケットを備え、開蓋時でもフタと容器を連結しつつ、挿入した紙片の内容物情報による内容物の識別を可能にすることを特徴とする、請求項１、請求項２、請求項３、請求項４に記載のフタ。
【発明の詳細な説明】
【技術分野】
【０００１】  本発明は、容器と連結出来て、容器の内容等の情報記録が可能なフタに関する。
【背景技術】
【０００２】  従来、ポリタンク等の容器から液体・粉体・粒体（以下、内容物と略する）を出し入れする時、内容等の情報（以下、内容物情報と略する）は、匂いまたは容器の側面や上面に書かれた記号、名称等を元に知る事が多い。この時、匂いでは判別しにくい内容物もあるし、内容物情報を容器に書く時は、書く人間によって容器のどこに名称等を書くのか一定せず、たとえ名称を書いたとしても、その見易さは容器の色によっても左右された。
また、容器のフタに直接、内容物情報を記録しても、給排口を開蓋した時に容器から外されたフタは、地面等に仮置きしていた。これによりフタを取り違えて内容物情報が錯綜したり、フタを紛失したり、フタに付着した液体が容器や周囲を汚損したり、フタに砂等が付着するおそれがあった。【０００３】  そこでフタと容器１を連結片４で連結する公知の技術がある（特許文献１）。
この技術について、図１１と図１２を用いて説明する。
この技術では、その上面に突起を有するフタ（以下突起フタ３と略する）には切断断面が略Ｔ字状をなすフタ突起３ｄが設けられている。フタ突起３ｄはフタ突起軸部３ｅ（略Ｔ字断面の垂直線分）と、フタ突起頭部３ｆ（略Ｔ字断面の水平線分）からなる。
突起フタ３の内周面に形成された雌ネジ３ｇが、給排口２の雄ネジ２ｂに螺着されて、容器１は閉塞される。
更に連結片４はその一端に小円環部５を備え、他端に大円環部６を備える。
小円環部内周５ａの径はフタ突起軸部３ｅの外周径よりも大きく、フタ突起頭部３ｆの外周径よりも小さいので、小円環部５を引っ張ると、小円環部５に設けた切れ込み５ｂが、一時的に変形し小円環部５を拡大して、フタ突起頭部３ｆを挿通できる。小円環部５がその材質のもつ弾性で元の形状に戻り、フタ突起頭部３ｆは小円環部５から抜けなくなる。
大円環部内周６ａの径は給排口２の外周径より大きく、突起フタ３の外周径より小さいので、大円環部６を引っ張ると、大円環部６に設けた切れ込み６ｂが、一時的に変形し大円環部６を拡大し、給排口２を挿通し易くなる。大円環部６に給排口２を挿通後、大円環部６はその材質のもつ弾性で元の形状に戻り、容器１と突起フタ３を連結し、開蓋された時でも突起フタ３を、給排口２からぶら下げて保持できるので、突起フタ３を紛失したり、突起フタ３に付着した液体が容器や周囲を汚損したり、突起フタ３に砂等が付着するおそれが無くなる。
しかし上記の様に突起フタ３と容器１を連結することは出来ても、突起フタ３の上面には凹凸があり、容器１の内容物情報をフタに記録する事は考慮されていなかった。
【先行技術文献】
【特許文献】
【０００４】
【特許文献１】実開昭５２−２０４５６号公報
【発明の概要】
【発明が解決しようとする課題】
【０００５】  本発明は、容器の給排口を開蓋しつつ、容器の形状に影響されずに容器により保持する事ができ、かつ内容物情報を記録可能な箇所を設けたフタを提供する。
【課題を解決するための手段】
【０００６】  請求項１に記載のフタは、
開閉可能な既存給排口を有する容器に用いられ、給排口とフタを連結する連結片の給排口側に取り付けられた大円環部外周の一箇所、または複数箇所に内容物情報記録部を設けて、開蓋時でもフタと容器を連結しつつ、内容物情報の記録と記録による内容物の識別を可能にすることを特徴とする。【０００７】  請求項２に記載のフタは、
開閉可能な既存給排口を有する容器に用いられ、給排口とフタを連結する連結片のフタ側に取り付けられた小円環部外周の一箇所、または複数箇所に内容物情報記録部を設けて、開蓋時でもフタと容器を連結しつつ、内容物情報の記録と記録による内容物の識別を可能にすることを特徴とする。【０００８】  請求項３に記載のフタは、
開閉可能な既存給排口を有する容器に用いられ、給排口とフタを連結する連結片の連結帯に内容物情報記録部を設けて、開蓋時でもフタと容器を連結しつつ、内容物情報の記録と記録による内容物の識別を可能にすることを特徴とする。【０００９】  請求項４に記載のフタは、
開閉可能な既存給排口を有する容器に用いられ、給排口とフタを連結する連結片を挿通可能な一箇所または二箇所の孔を設けた内容物情報記録部に、小円環部及び連結帯を挿通した後、小円環部とフタを連結し、開蓋時でもフタと容器を連結しつつ、内容物情報の記録と記録による内容物の識別を可能にすることを特徴とする。【００１０】  請求項５に記載のフタは、
前記記録部の位置に、表面が透明カバーで出来ていて、内容物情報を記録した紙片を挿入できるポケットを備え、透明カバーを通して、開蓋時でもフタと容器を連結しつつ、挿入した紙片上の内容物情報の記録により、内容物の識別を可能にすることを特徴とする。
【発明の効果】
【００１１】  本発明のフタには、内容物情報を記録する箇所を設けて給排口に連結する事で、内容物の識別を容易にした上で、給排口の開蓋時も、容器の形状に影響されずにフタを容器により保持し、開蓋時に容器とフタの物理的な繋がりと、容器内容物とそれに関する内容物情報の繋がりを維持する効果を奏する。
【図面の簡単な説明】
【００１２】
【図１】第一実施形態のフタの一部に内容物情報を書いて、フタと容器に取り付けて開蓋状態にした時の斜視図。
【図２】第一実施形態のフタを容器に取り付けて閉蓋した時の切断断面図。
【図３】（ａ）第一実施形態で大円環部を上、小円環部を下に位置させた時、記録部を１２時方向に有する連結片の正面図、（ｂ）第一実施形態で大円環部を上、小円環部を下に位置させた時、記録部を３時及び９時方向に有する連結片の正面図。
【図４】（ａ）図３（ａ）の連結片と突起フタを連結した、第一実施形態のフタの正面図、（ｂ）図３（ａ）の連結片と突起フタを連結した、第一実施形態のフタの背面図。
【図５】（ａ）第二実施形態のフタの正面図、（ｂ）第二実施形態のフタを容器に連結してから給排口に螺着させたフタの斜視図。
【図６】（ａ）第三実施形態のフタの正面図、（ｂ）第三実施形態のフタを容器に連結してから給排口に螺着させたフタの斜視図。
【図７】（ａ）記録部の孔へ小円環部を挿通して、第四実施形態のフタを組立てる場面の概念図、（ｂ）記録部の孔へ小円環部を挿通して構成した第四実施形態のフタの正面図。
【図８】（ａ）図７で示した小円環部を記録部の孔に挿通するのではなく、記録部に設けた切り欠けに、連結片の連結帯を側面から挿し込んで固定する事を示した第四実施形態のフタの概念図、（ｂ）図８（ａ）で示した記録部に設けた切り欠けに、連結片の連結帯の側面を挿し込んで構成した、第四実施形態のフタの正面図。
【図９】（ａ）内容物情報を記録部に直接書かず、紙片に書いて記録部に設けた透明カバーポケットに挿入する時の正面図、（ｂ）内容物情報を記録部に直接書かず、紙片に書いて記録部に設けた透明カバーポケットに挿入した時の切断断面図、（ｃ）内容物情報を書いた紙片を挿入した連結片を備えたフタの正面図。
【図１０】（ａ）第一実施形態のフタの記録部に設けた透明カバーポケットに「灯油」と書いた紙片を挿入する時の概念図、（ｂ）第二実施形態のフタの記録部に設けた透明カバーポケットに「水」と書いた紙片を挿入する時の概念図、（ｃ）第三実施形態のフタの記録部に設けた透明カバーポケットに「廃油」と書いた紙片を挿入する時の概念図。
【図１１】（ａ）特許文献１のフタを組み立てる時の概念図、（ｂ）特許文献１のフタの正面図。
【図１２】特許文献１のフタを容器に螺着させて閉蓋した時の切断断面図。
【発明を実施するための形態】
【００１３】  以下、適宜図面を参照して本発明の実施形態について説明する。なお、以下に説明される実施形態は本発明を具体化した例にすぎず、本発明の要旨を変更しない範囲で、本発明の実施形態は適宜変更できる。
【００１４】［第一実施形態］
容器１の給排口２に連結可能な内容物情報を書く記録部１５付き大円環部１３と、連結帯１４とを、小円環部１２を介して突起フタ３に連結し、構成したフタ１０。
まず、本発明のフタの実施の一形態であるフタ１０について図１〜図４を用いて説明する。
【００１５】  フタ１０は、液体や粉体、粒体等の内容物を収容可能な容器１に用いられる。容器１は一箇所、または複数箇所の給排口２を有し、前記給排口２を介して内容物を容器１に給排できる。
本実施形態の容器１は、飲料水、灯油等を収容可能で、一箇所の給排口２を持つ容器を例にするが、これに限定するものではない。
【００１６】  図１に示した様に、容器１は、給排口２を有する。
【００１７】  給排口２は、筒状に形成され、容器１の内側と外側を連通している。給排口２の外周面には、雄ネジ２ｂが形成されている。
【００１８】  フタ１０は、給排口２を開閉するものであり、フタ１０は突起フタ３と連結片１１から構成される。
【００１９】  以下では、突起フタ３について説明する。
【００２０】  突起フタ３には、特許文献１と同様に、切断断面が略Ｔ字状をなすフタ突起３ｄが設けられている。フタ突起３ｄはフタ突起軸部３ｅと、フタ突起頭部３ｆからなる。
突起フタ３の底部においては、突起フタ３が給排口２に螺着されたときに容器１の内側を向く面を内側面３ａとし、容器１の外側を向く面を外側面３ｂとする。突起フタ３の底部の縁部には、パッキン３ｃが設けられる（図２参照）。
突起フタ３の雌ネジ３ｇが、給排口２の雄ネジ２ｂに螺着されて、給排口２は閉蓋され、突起フタ３が外されることで開蓋される。
【００２１】  以下では、連結片１１について説明する。
【００２２】  図３に示した様に、連結片１１は小円環部１２、大円環部１３及びその２つを連結する連結帯１４と記録部１５から構成される。連結片１１は合成樹脂等、柔軟性を持つ材料で形成される。小円環部内周１２ａの径はフタ突起軸部３ｅの外周径よりも大きく、フタ突起頭部３ｆの外周径よりも小さい。連結片１１全体が柔軟性を持つ合成樹脂等で出来ているので、小円環部１２を引っ張ると、小円環部１２に設けた切れ込み１２ｃが、一時的に変形して小円環部１２を拡大し、フタ突起頭部３ｆを挿通できる。フタ突起３ｄを嵌合後、小円環部１２がその材質のもつ弾性で元の形状に戻ると、小円幹部外周１２ｂの径がフタ突起頭部３ｆの径よりも小さいので、フタ突起頭部３ｆは小円環部１２から抜けなくなる。
その結果、連結片１１が突起フタ３と連結し、フタ１０を構成する。
【００２３】  大円環部内周１３ａの径は給排口２の外周径より大きく、突起フタ３の外周径より小さいので、大円環部１３を引っ張ると、大円環部１３に設けた切れ込み１３ｃが、一時的に変形し大円環部１３を拡大し、給排口２を挿通し易くなる。大円環部１３に給排口２を挿通後、大円環部１３はその材質のもつ弾性で元の形状に戻り、容器１とフタ１０は連結し、フタ１０を給排口２に螺着して容器１を閉蓋する事もできるし、給排口２へのフタ１０の螺着を外して給排口２を開蓋しても、開蓋されたフタ１０を、連結片１１によって給排口２からぶら下げて保持できるので、フタ１０を紛失したり、フタ１０に付着した液体が容器１や周囲を汚損したり、フタ１０に砂等が付着するおそれが無くなる。
【００２４】  以下では、記録部１５について説明する。
【００２５】  記録部１５は、図１〜図４に示した様に、大円環部外周１３ｂに設けられた板状部位で、内容物情報を筆記具で記録するものである。
記録部１５への記録内容については、特に限定されず、例えば、容器１に収容された内容物の種類、内容物の収容日、管理者名等、任意の内容物情報を記録できる。本実施形態では、記録部１５には、内容物の種類が記録された例を用いる。
図１、図３（ａ）、図４では「灯油」、図３（ｂ）では「真水」という記録を例にする。
【００２６】  図１〜図４で示した様に、記録部１５は大円環部外周１３ｂの上下左右のどの方向に位置する様に設けてもよい。
設ける箇所は一箇所でもよく、また同時に複数箇所に設けてもよい。
【００２７】  図１、図２、図３（ａ）、図４の様に、例えば記録部１５を給排口２上側（時計で例えて１２時方向）に位置する様に設ければ、そこが容器１で一番目立つ場所なので、開蓋時も閉蓋時も内容が同様に読み取り易い。また図３（ｂ）の様に、給排口２左右側（３時及び９時方向。いずれか片方だけでもよい）に位置する様に設ければ、容器１の給排口２上部に凸部がある時でも、その凸部が記録部１５に干渉することを回避できる。更に給排口２下側（図３では６時方向）に位置する様に設ければ、３時及び９時方向に記録部１５を設けると容器１の横幅からはみ出てしまう様な、幅狭な容器１にも対応できる（不図示）。
なお、１２時、３時、９時方向など、複数の記録部１５を設けた時は、それぞれの記録部１５に互いに異なる内容物情報を記録してもよい。例えば、一つ目の記録部１５には内容物の種類を記録し、二つ目の記録部１５には内容物の収容日を記録する。これにより、より多くの内容物情報を表示できる。
【００２８】  現在、市販されている連結片１１が無いフタ上面にも、直接内容物情報を書く事はできるが、開蓋後に容器１から一端離れたフタを取り違えてしまう恐れはある。しかし本考案は開蓋しても連結片１１によって容器１とフタ１０が連結されているので、記録部１５に書いた内容物情報が容器１から離れず、フタを取り違えて内容物情報を取り違える事を防ぐと言う相乗効果を奏する。
【００２９】  なお、記録部１５の大きさ、形状は、本考案の事例に限定されない。フタ１０の開閉や、容器１の取り扱いの邪魔にならず、内容物情報を書けるなら、どの様な大きさ、形状でも良い。
【００３０】  ［第二実施形態］
内容物情報記録可能で容器１と連結できるフタの第二実施形態であるフタ２０について図５（ａ）〜図５（ｂ）を用いて説明する。
フタ２０は連結片２１と突起フタ３とを小円環部２２を介して連結し、構成される。
連結片２１は記録部２５を備える小円環部２２、大円環部２３及びその２つを連結する連結帯２４から構成される。記録部２５は小円環部外周２２ｂに設けられた板状部位である。
以下の説明においては、フタ１０との相違点に着目して説明し、フタ１０と同じ構成については、同一符号を付して詳細な説明は省略する。特に突起フタ３による給排口２の開閉、突起フタ３と小円環部２２との連結方法、給排口２と大円環部２３との連結方法については、フタ１０と同様なので詳細な説明は省略する。
【００３１】  フタ２０について、更に説明する。
フタ２０の小円環部２２には、第一実施形態と同様に、フタ突起３ｄが嵌合されている（図５ではフタ突起頭部３ｆのみ露出）。その小円環部２２には、板状の記録部２５が取り付けられている。
記録部２５は、内容物情報を記録するものである。
記録部２５への記録内容については、特に限定されず、例えば、容器１に収容されている内容物の種類、収容日等を記録できる。本実施形態の図５では、記録部２５への「水」という内容物の種類の記録を例とする。
【００３２】  フタ２０は上記の様に構成されるので、使用者は記録部２５を視れば、内容物情報を視認できる。
【００３３】  記録部２５は、小円環部２２を介して突起フタ３に連結されているが、小円環部２２はフタ突起軸部３ｅを中心に回動可能なので、フタ２０の開蓋・閉蓋時に突起フタ３の外周面を持って回しても、突起フタ３と記録部２５は独立に回転するので、開蓋・閉蓋動作の邪魔にならない。
【００３４】  図５では、仮に小円環部２２を上、大円環部２３を下に配置した時、記録部２５を小円環部２２の下側に位置する様に設けているが、記録部２５は小円環部外周２２ｂの上下左右のどの方向に位置する様に設けてもよく、また同時に複数箇所に設けてもよい。
【００３５】  ［第三実施形態］
内容物情報記録可能で容器１と連結できるフタの第三実施形態であるフタ３０について説明する。
フタ３０は、連結片３１と突起フタ３が連結されて構成される。
連結片３１は、容器１の給排口２に連結可能な大円環部３３と、内容物情報を書く記録部３５付き連結帯３４と、小円環部３２とから構成される。
突起フタ３による給排口２の開閉、突起フタ３と小円環部３２との連結方法、給排口２と大円環部３３との連結方法については、フタ１０、フタ２０と同様なので詳細な説明は省略する。
【００３６】  フタ３０は、連結帯３４に取り付けられた記録部３５を有する。以下、詳細に説明する。図６（ａ）〜図６（ｂ）に示した様に、フタ３０には、第一実施形態と同様に、フタ突起３ｄに小円環部３２が嵌合されている。その小円環部３２に連続する連結帯３４には、板状の記録部３５が取り付けられている。
記録部３５は、内容物情報を記録するものである。
記録部への記録内容については、特に限定されず、例えば、容器１に収容された内容物の種類、収容日等を記録できる。本実施形態の図６では、記録部３５への「廃油」という内容物の種類の記録を例とする。
【００３７】  記録部３５は連結帯３４の一部として柔軟な材料で作れば、折り曲げ可能に形成でき、閉蓋時に連結帯３４が折り曲がっても、一緒に折り曲げられる。
【００３８】  ［第四実施形態］
内容物情報記録可能で容器１と連結できるフタの第四実施形態であるフタ４０について説明する。
図７（ａ）〜図７（ｂ）に示した例の様に、フタ４０は容器１の給排口２に連結可能な大円環部４３と、内容物情報を書く記録部４５を取り付けた連結帯４４とを、小円環部４２を介して突起フタ３に連結して構成される。
突起フタ３による給排口２の開閉、突起フタ３と小円環部４２との連結方法、給排口２と大円環部４３との連結方法については、フタ１０、フタ２０、フタ３０と同様なので詳細な説明は省略する。
記録部４５には連結片挿通孔４５ａ、４５ｂを設けておく。
先に小円環部４２と連結帯４４を、記録部４５の連結片挿通孔４５ｂ、４５ａの順に挿通してから、フタ突起３ｄに小円環部４２を嵌合して（図７（ｂ）ではフタ突起頭部３ｆのみ露出）連結片４１は構成される。
以上の様に、記録部４５を有する連結片４１に突起フタ３を連結する事によって、フタ４０は構成される。
図７の例では、使用者は記録部４５を視れば、容器１の内容物の種類「海水」を視認できる。
【００３９】  なお、この連結片挿通孔４５ｂと４５ａの環状構造の一部に切れ込みを入れて、図８（ａ）〜図８（ｂ）に示した例の様に、連結片挿通切欠４６ｂと４６ｃを形成してもよい。
連結片挿通切欠４６ｂと４６ｃの切り欠け幅を、連結帯４４の厚みと同様にすれば、連結帯４４を連結片挿通切欠４６ｂと４６ｃに押し込む事ができる。
これによって、フタ突起３ｄが小円環部４２に嵌合された後でも連結帯４４に連結片挿通切欠４６ｂと４６ｃを取り付けたり外したりする事ができる。
このような記録部４６を連結片４１に取り付けても、フタ４０は構成できる。図８の例では、使用者は記録部４６を視れば、容器１の内容物の種類「植物油」を視認できる。
【００４０】  尚、第一実施形態、第二実施形態、第三実施形態、第四実施形態とも、記録部１５、２５、３５、４５の大きさ、形状、柔軟性、厚さは、本考案の事例に限定されない。突起フタ３の開閉、内容物の出し入れ、容器１の持ち運びほか、容器１の取り扱いの邪魔にならず、内容物情報を書けるなら、どんな大きさ、形状、柔軟性、厚さの材料でも適宜用いて良い。
【００４１】  また、第一実施形態、第二実施形態、第三実施形態、第四実施形態とも、記録部１５、２５、３５、４５に字を書く事を前提としているが、多くの場合、黒色等、明度の低い色の字で記録する事が多いと予想されるので、記録内容が判読し易い様、記録部１５、２５、３５、４５は黄色、白色等、明度の高い色で作成する事が望ましい。
【００４２】  本実施形態では、記録部１５、２５、３５、４５に、内容物情報を書いて、内容物の管理に資するよう構成したが、本発明はこれに限定されない。
【００４３】  以上述べた筆記具で内容物情報を直接書く記録部ではなく、以下では内容物情報を書いた紙等を挿入できる、透明カバー５３が付いた透明カバーポケット５０を、各実施形態の記録部の位置に設ける例について説明する。
【００４４】  以下、透明カバーポケット５０を第四実施例に応用した時の例を、透明カバーポケット５０ｄとして説明する。
図９（ａ）に示した様に、透明カバーポケット５０ｄは、上側に紙片挿入口５５ｄを設け、前面に透明カバー５３より僅かに小さな前面開放孔５６を設け、左右と底面を閉塞した封筒型のポケット５２と透明カバー５３からなる。
ポケット５２には連結片挿通孔５４ａ、５４ｂ、５４ｃを設けておく。
透明カバー５３は、柔軟性と透過性を有する板状の部材であり、ポケット５２に挿入されて前面開放孔５６を物理的に塞ぐ。透明カバー５３の外周は、ポケット５２に固定されて、透明カバーポケット５０ｄを構成し、透明カバー５３を通して透明カバーポケット５０ｄに挿入された紙片５１に書かれた内容物情報を読む事ができる。
前面開放孔５６と、それを物理的に塞ぐ透明カバー５３は、ポケット５２の表側と裏側のどちらか片面だけに配置してもよく、両面に配置してもよい。
【００４５】  この透明カバーポケット５０ｄを第四実施形態の記録部４５の位置に設けて、内容物情報を書いた紙片５１を保持する方法は、第一実施形態（図１０（ａ）の透明カバーポケット５０ａ）、第二実施形態（図１０（ｂ）の透明カバーポケット５０ｂ）、第三実施形態（図１０（ｃ）の透明カバーポケット５０ｃ）にも応用できる。
【００４６】  紙片５１を挿入する透明カバーポケット５０を第一実施形態、第二実施形態、第三実施形態、第四実施形態の記録部に設ける時、紙片挿入口５５もそれぞれ設ける事ができる（図１０（ａ）、（ｂ）、（ｃ）、図９では、それぞれ５５ａ、５５ｂ、５５ｃ、５５ｄで表示）。
紙片挿入口５５は、仮に小円環部１２、２２、３２を上、大円環部１３、２３、３３を下に置いた場合、上下左右のどの方向に設けても良い（図１０（ａ）では下側、図１０（ｂ）、（ｃ）では上側。それ以外は不図示）。
各実施形態の記録部は、折り曲げ可能な柔軟な材料で作られるので、閉蓋時に透明カバーポケット５０ごと記録部が折り曲がると、透明カバーポケット５０内で紙片５１が押さえ込まれて抜けにくくなる効果も奏する。
【００４７】  また、紙片５１が透明カバーポケット５０から抜けにくくする別の方法として、紙片挿入口５５を小さ目に作る等、既存の技術を応用してもよい。
【００４８】  特に第四実施形態では、透明カバーポケット５０ｄの上側に設けた紙片挿入口５５ｄから内容物情報を書いた紙片５１（図９（ａ）では「洗剤」と書いた紙片５１を例とする。）を挿入した後、小円環部４２を連結片挿通孔５４ｃ、５４ｂ、５４ａの順に挿通した後、フタ突起３ｄに小円環部４２を嵌合すると、透明カバーポケット５０ｄの上側も連結帯４４が閉塞するので、挿入した紙片が抜けなくなるという効果も奏する。
【符号の説明】
【００４９】１  容器
２  給排口
３  突起フタ
１０・２０・３０・４０  フタ
４・１１・２１・３１・４１  連結片
５・１２・２２・３２・４２  小円環部
６・１３・２３・３３・４３  大円環部
１４・２４・３４・４４  連結帯
１５・２５・３５・４５  記録部
５０ａ・５０ｂ・５０ｃ・５０ｄ  透明カバーポケット
５１  紙片
５２  ポケット
５３  透明カバー
５５ａ・５５ｂ・５５ｃ・５５ｄ  紙片挿入口
【図１】
2017197288.tif 000003
【図２】
2017197288.tif 000004
【図３】
2017197288.tif 000005
【図４】
2017197288.tif 000006
【図５】
2017197288.tif 000007
【図６】
2017197288.tif 000008
【図７】
2017197288.tif 000009
【図８】
2017197288.tif 000010
【図９】
2017197288.tif 000011
【図１０】
2017197288.tif 000012
【図１１】
2017197288.tif 000013
【図１２】
2017197288.tif 000014